(57)【要約】【課題】複数の筆記体の使用を容易に行うことができ、使用時には伸長し筆記しやすい形状とし、不使用時は折り畳んで携帯に便利な形状とすることのできる折り畳み式複合筆記具を提供する。【解決手段】筆記体７ａ，７ｂを一体化した移動体８ａ，８ｂと、上記筆記体７ａ，７ｂを出没可能に該移動体を収納した容器本体１と、上記筆記体７ａ，７ｂを常時上記容器本体内に引き入れ状態に付勢する付勢手段９ａ，９ｂと、上記容器本体１に重ね合わせ一端部を回動可能に該容器本体に支持させた回動体２と、上記回動体２の回動に伴い上記移動体８ａ、８ｂを介して上記筆記体７ａ，７ｂの一方を上記容器本体１から使用状態に突出させる筆記体突出手段（ピン１０とカム面８２ａ，８２ｂ）とから構成されてなる。【選択図】      図１
2007276365.tif 000002
【特許請求の範囲】
【請求項１】
筆記体を取り付けた移動体と、筆記体を出没可能に移動体を収納した容器本体と、上記筆記体を常時上記容器本体内に引き入れ状態に付勢する付勢手段と、上記容器本体に重ね合わせ一端部を回動可能に該容器本体に支持させた回動体と、この回動体の回動に伴い上記移動体を介して上記筆記体の一方を上記容器本体から使用状態に突出させる筆記体突出手段とから構成されてなることを特徴とする折り畳み式複合筆記具。
【請求項２】
上記回動体は、容器本体に関して左右に１８０度回転可能であることを特徴とする請求項１に記載の折り畳み式複合筆記具。
【請求項３】
上記付勢手段は、筆記体の外側にはめ、容器本体内面と移動体前端との間に圧縮して配設したコイルスプリングであることを特徴とする請求項１に記載の折り畳み式複合筆記具。
【請求項４】
上記筆記体突出手段は、容器本体内に互いに併設して収納された移動体の後端から外側側面に向かって形成されたカム面と、回動体の回動時に上記カム面に当接して移動体を筆記体突出方向に移動させるように回動体に設けたピンとからなることを特徴とする請求項１に記載の折り畳み式複合筆記具。
【請求項５】
上記回動体の回動終端位置において上記ピンが係合して移動体を移動位置に保持する係合凹部を移動していない移動体の側面に形成していることを特徴とする請求項４に記載の折り畳み式複合筆記具。
【請求項６】
上記容器本体の下面に間隔保持部材を介して保護体を取り付けて形成された収納空間と、この収納空間内に回動可能に収納された少なくとも１つ以上の補助具とを有することを特徴とする請求項１に記載の折り畳み式複合筆記具。
【発明の詳細な説明】
【技術分野】
【０００１】
この発明は、シャープペンシル等の筆記体や化粧品のアイライナー等の筆記体を使用する際、使用時は容器本体を伸長し筆記しやすい形状となり、不使用時は折り畳んで容器本体内に収納して短くすることのできる折り畳み式複合筆記具に関する。
【背景技術】
【０００２】
従来、折り畳み式筆記具においては、容器本体内に収納された単一の筆記具を必要に応じて突出させる携帯用に便利なコンパクトな筆記具が提案されていたが、複数の筆記体を収納するものではなかった（例えば特許文献１）。
【０００３】
また、複数の筆記体を収納できるものでも、容器本体自体が丸く携帯に不便であり、かつ使用時にも、グリップ部分が丸く握りずらく筆記に不便であった（例えば特許文献２）。
その他、薄型の複数の補助具（例えば、ナイフ、定規、ハサミ、耳掻き等）を重ね合わせて軸に回動自在に取り付け、選択した補助具を、軸を中心に回動突出させて使用するものがあった。
【０００４】
【特許文献１】実開昭６３−１２８０８１号公報
【特許文献２】実公昭６２−８７４４号公報
【発明の開示】
【発明が解決しようとする課題】
【０００５】
従来の折り畳み式複合筆記具は以上のように構成されているので、実開昭６３−１２８０８１号公報記載のものでは複数の筆記体を使用できず、また、実公昭６２−８７４４号公報記載のものでは携帯、筆記に不便であるという課題があった。また、ナイフ、定規、ハサミ、耳掻き等の補助具は別に用意しなければならないという課題があった。  
【０００６】
この発明は、上記のような従来の課題を解消するためになされたもので、複数の筆記体もしくは補助具を一同に使用でき、筆記具使用時には伸長し筆記しやすい形状となり、不使用時は折り畳んで携帯に便利な形状とすることのできる折り畳み式複合筆記具を提供することを目的とする。
【課題を解決するための手段】
【０００７】
上記問題点を解決するために、この発明の係る折り畳み式複合筆記具は、筆記体を取り付けた移動体と、上記筆記体を出没可能に上記移動体を収納した容器本体と、上記筆記体を常時上記容器本体内に引き入れ状態に付勢する付勢手段と、上記容器本体に重ね合わせ一端部を回動可能に該容器本体に支持させた回動体と、上記回動体の回動に伴い上記移動体を介して上記筆記体の一方を上記容器本体から使用状態に突出させる筆記体突出手段とから構成されてなることをもっとも主要な特徴とする。
【発明の効果】
【０００８】
この発明は、不使用時は、回動体を容器本体と重なるように折り畳むことによりすべての筆記体を容器本体に収納することができるので、全体の長さを容器本体のみの長さとすることができ、コンパクト化して携帯に適している。また、使用時は回動体を左右に１８０度回動させることにより、選択した筆記体を該容器本体から突出させた際は握りやすく、筆記しやすい等の効果が得られる。
【発明を実施するための最良の形態】
【０００９】
実施の形態１
以下、この発明の実施の形態を図１から図９を参照して詳細に説明する。
【００１０】
図１はこの発明の実施の形態１の説明図であり、図７のＡ−Ａ線の折り畳み式複合筆記具の不使用時の内部を表す縦断面図である。図２は図１の平面説明図である。図３は図２の正面説明図である。図４は一方の筆記体（レフイール）を突出させた使用状態を表す説明図であり、図７のＡ−Ａ線に沿う縦断面図ある。図５は図４の使用状態にするための回動体の回動方向を説明する平面図である。図６は他方の筆記体を使用状態にするための回動体の回動方向を説明する平面図である。図７は図４のＢ−Ｂ線に沿う横断端面図である。図８は図４のＣ−Ｃ線に沿う横断端面図である。図９は容器本体の一部の斜視図である。
【００１１】
図において、符号１は複数の筆記体の容器本体であり、回動体２は平面形状が容器本体１と同一の平面形状で該容器本体の一端側の支軸３によって回動可能に取り付けられている。そして符号４は握り部をかねた保護体である。この保護体４はナイフ、定規、ハサミ、耳掻き等の補助具Ｈ１，Ｈ２の収納空間５を形成するように、間隔保持部材６を介して容器本体１の下面に取り付けられている。この間隔保持部材６は平面形状が容器本体１と同形の２枚の板６ａ，６ｂを、その両端中央部を一定の長さの間隔部材６ｃで連結して、端面形状をＨ形に構成したものである。また、図示例は上下板６ａの一端部にリング１７の取り付け部１６が突設され、この取り付け部１６に設けたリング１７によりキーホルダ（図示せず）を取り付けて携帯することができる。
【００１２】
容器本体１は、支軸３の上蓋部１Ａと筆記体７ａ，７ｂの下受け部１Ｂとからなる。下受け部１Ｂは後方に中空１１を、先端部には筆記体７ａ，７ｂの出入りをガイドする凹部１２ａ、１２ｂが平行して形成されている。また、下受け部１Ｂの後端部には回動体２を回動可能に支持する支軸３の取り付け部１Ｂ−１が設けられ、このはめ込み部１Ｂの側壁の一部、つまり、回動体２に設けられたピン１０の回動軌跡Ｅに該当する部分１Ｂ−２が欠如されている。
【００１３】
移動体８ａ，８ｂの前端側には、移動方向と平行に凹部８１ａ，８１ｂが形成されており、この凹部８１ａ，８１ｂに筆記体７ａ，７ｂの一端側をそれぞれ挿入して筆記体セットを構成する。また、移動体８ａ，８ｂの後端側には、互いに当接する後端に向かって先細り形状にカム面８２ａ，８２ｂが形成されており、そのカム面８２ａ，８２ｂに対応する移動体８ａ，８ｂの互いに当接する側面に係合凹部８３ａ，８３ｂが形成されている。そして、筆記体７ａ，７ｂの外側に該筆記体を常時容器本体内に付勢するコイルスプリング９ａ，９ｂがそれぞれ設けられている。
【００１４】
回動体２の容器本体１に対する対向面側には、移動体８ａ，８ｂのカム面８２ａ，８２ｂに作用するピン１０が設けられており、このピン１０は筆記体７ａ，７ｂを容器本体１に収納した状態から、支軸３を中心として係合凹部８３ａ，８３ｂ上を通る回動軌跡Ｅ（図１）を回動するように、またこの回動によりこのピン１０とカム面８２ａ，８２ｂとで筆記体突出手段を構成している。
【００１５】
容器本体１の軸３の取り付け部１Ｂ−１は、図８に示すように、支軸３を相通する穴１５の周辺部が略肉厚分だけ低く段差１５ａに形成されている。一方、回動体２には軸３の頭部３ａを相通する大径穴部２１ａと軸部３ｂを相通する小径穴部２１ｂが連続して形成されており、この回動体２の容器本体１に対する取り付け面側における小径穴部２１ｂの周辺には段差１５ａにはめる筒状凸部２２ａが形成されている。
【００１６】
支軸３は大径の頭部３ａと小径の軸部３ｂとからなり、その小径の軸部３ｂは少なくとも二つ割に形成されているとともに、その中間部において側方に突出する係合段部３ｃが形成され、この係合段部３ｃから軸部３ｂの先端に向かって先細り斜面３ｄに形成されている。
【００１７】
次に容器本体１に対する筆記体７ａ，７ｂの組み込み、および収納空間５に対する補助具Ｈ１，Ｈ２の取り付けについて説明する。まず、筆記体７ａ，７ｂの後端を移動体８ａ，８ｂの凹部８１ａ，８１ｂに挿入固定して筆記体セットを構成する。そして、筆記体７ａ，７ｂのそれぞれにコイルスプリング９ａ，９ｂをはめ、このコイルスプリング９ａ，９ｂを押し縮めながら、容器本体１の構成要素である下受け部１Ｂの凹部１２ａ、１２ｂに筆記体７ａ，７ｂをはめるとともに、移動体８ａ，８ｂを下受け部１Ｂの中空１１内に組み付ける。次いで、この下受け部１Ｂの開放面を覆うように上蓋部１Ａを重ねあわせ、上記両部材の当接部を溶着あるいは接着、凹凸係合等の周知の手段で一体化固定する。
【００１８】
そして、このように組み込まれた容器本体１の一端側に設けた穴１５の周辺部の段差１５ａに、回動体２の一端側に設けた穴周辺の筒状凸部２２ａをはめ合わせて、回動体２を容器本体１に重ね合わせ、このはめ合わせた筒状凸部２２ａの中心穴２２ｂに支軸３の小径の軸部３ｂを押し込む。この小径の軸部３ｂは二つ割で、かつ、先細り斜面３ｄに形成されているので、縮径しながら進行し、中心穴２２ｂを通過し終えると、弾性復元して、側方に突出する係合段部３ｃが、容器本体１の穴縁内面に係合して抜止めとなり、支軸３の大径頭部３ａと係合段部３ｃとで、容器本体１および回動体２とを挟持する。
【００１９】
また、容器本体１の底面に間隔保持部材６により形成された収納空間５内には、その間隔保持部材６の構成要素である上下板６ａまたは６ｂに設けた軸６ｄに補助具Ｈ１，Ｈ２を、使用状態では収納空間５から突出し、不使用時は収納空間５に収納するように回動可能に設ける。そして、使用状態において、間隔部材６ｃは図２に示すように、補助具Ｈ１，Ｈ２の背面を受けて該補助具を使用状態に維持するストッパとしても機能する。
【００２０】
上記のように構成された実施の形態１の使用形態を説明する。不使用時は、図１乃至図３に示すように、回動体２を容器本体１と重なるように折り畳んでおく。この状態においては、図１に示すように、回動体２のピン１０は移動体８ａ，８ｂのカム面８２ａ，８２ｂに作用しない位置に位置する。このため、移動体８ａ，８ｂはコイルスプリング９ａ，９ｂの弾性復元力により、後端が支軸に当接するまで容器本体１内に引き込まれる。支軸に当接と限定されるものではなく、別に容器内にリブを設けて当接する構成にしてもよい。この結果、移動体８ａ，８ｂと一体の筆記体７ａ，７ｂも容器本体１内に引き込まれる。
【００２１】
次に、筆記体７ａ（例えば、黒色の筆記体）を使用する場合は、回動体２を図５に示すように時計方向に１８０度回動させると、その回動終端近くで回動体２のピン１０が移動体８ａの後端のカム面８２ａに当接し、以後、引き続く回動体２の回動に伴って移動体８ａをコイルスプリング９ａの弾性力に抗して前進させ、筆記体７ａの先端部を容器本体１の外へ突出させる。そして、回動体２が１８０度回動した位置において、回動体２のピン１０が移動していない移動体８ｂの側面に形成された係合凹部８３ｂに係合して、回動体２の回動位置が固定される。
【００２２】
そして、コイルスプリング９ａの常時容器本体１内方への弾性力が加えられた移動体８ａの後端が、係合凹部８３ｂに係合したピン１０の突出部に当接して、移動体８ａの後退が止められ、筆記体７ａは突出位置に保持される。この回動体２の回動時、ピン１０は下受け部１Ｂの側壁の欠如部１Ｂ−２から該下受け部１Ｂの外部に出て、回動軌跡Ｅ上を回動して再び他の欠如部１Ｂ−２から下受け部１Ｂ内に入るように回動する。
【００２３】
次に反対の筆記体７ｂ（例えば、赤色の筆記体）を使用する場合は、回動体２を図６に示すように上記と反対の反時計方向に１８０度回動させると、その回動終端近くで回動体２のピン１０が移動体８ｂの後端のカム面８２ｂに当接し、以後、引き続く回動体２の回動に伴って移動体８ｂをコイルスプリング９ｂの弾性力に抗して前進させ、筆記体７ｂの先端部を容器本体１の外へ突出させる。そして、回動体２が１８０度回動した位置において、回動体２のピン１０が移動していない移動体８ａの側面に形成された係合凹部８３ａに係合して、回動体２の回動位置が固定される。
【００２４】
そして、コイルスプリング９ｂの常時容器本体１内方の弾性力が加えられた移動体８ｂの後端が、係合凹部８３ａに係合したピン１０の突出部に当接して、移動体８ｂの後退が止められ、筆記体７ｂは突出位置に保持され、上記筆記体７ａを使用状態にしたときと同様の作用効果が得られる。
【００２５】
以上のように、この実施の形態によれば、筆記体７ａを使用状態にしたときには、回動体２も容器本体１と直線状となる状態に回動保持されるため、容器本体１を指先で握ると、支軸部が丁度手中に収まり筆記しやすいものである。また、移動体８ａの後端がピン１０の係合凹部８３ｂからの突出部に当接して、移動体８ａの後退を止めているので、筆記時に筆記体７ａを筆記面に強く押し付けても筆記体７ａは容器本体１内に後退することがなく、常に安定して筆記することができる。しかも、回動体２のピン１０の回転軌跡Ｅは容器本体１の外部を通る構成であるから、容器本体１の幅は移動体８ａ，８ｂを収納できる幅があればよく、容器本体１の幅を極力小さくすることができ、全体の形状を細長く筆記に適した形状とすることができる。
【００２６】
不使用時は、回動体２を容器本体１と重なるように折畳むことにより、すべての筆記体７ａ，７ｂも容器本体１内に引き込まれ、全体の長さを容器本体１の長さとなるように小さく折り畳まれ、コンパクト化して携帯に適している。そして、回動体２を時計方向または反時計方向に１８０度回動させることにより、筆記体７ａ，７ｂを交互に筆記状態にできるので、取り扱いが容易である。
【００２７】
一方、補助具Ｈ１を使用する場合は、図１乃至図３に示すように、回動体２は容器本体１と重なるように折り畳み、筆記体７ａ，７ｂを容器本体１に収納した状態において、図２に示すように、補助具Ｈ１を取り付け軸６ｄ１を中心に回動させて、収納空間５から外部に突出させる。この状態において、容器本体１の上下に重なり合っている回動体２と保護体４を握って使用する。この場合、補助具Ｈに力が加わっても、その背面が間隔部材６ｃに当接して、それ以上の回動が阻止されるので、補助具Ｈ１に大きな力を加えることができ、使用が容易である。
【００２８】
実施の形態２
実施の形態１では、容器本体１に回動体２を回動可能に取り付ける支軸３としては、大径の頭部３ａと小径の軸部３ｂとからなり、その小径の軸部３ｂは少なくとも二つ割に形成されているとともに、その中間部において側方に突出する係合段部３ｃが形成され、この係合段部３ｃから軸部３ｂの先端に向かって先細り斜面３ｄに形成されているものを用い、回動体２の筒状凸部２２ａの中心穴２２ｂに支軸３の小径の軸部３ｂを縮径しながら押し込み、中心穴２２ｂを通過、側方に突出する係合段部３ｃを支軸３の取り付け部１Ｂ−１の穴縁内面に係合させている。
【００２９】
この実施の形態２では、図１０に示すように、支軸３を相通する穴１５の周辺部に形成された段差１５ａから筆記体７ａ，７ｂの上蓋部１Ａ内に突出してネジ筒部１５ｂを設け、回動体２の筒状凸部２２ａの中心穴に通してネジ軸３０をネジ筒部１５ｂにねじ込んで、軸３０の大径頭部３０ａで回動体２の筒状凸部２２ａを取り付け部１Ｂ−１の段差１５ａに押圧させて、回動体２を取り付けるもので、回動体２の取り外しが容易である。
【図面の簡単な説明】
【００３０】
【図１】この発明の実施の形態１による図７のＡ−Ａ線の折り畳み式複合筆記具の不使用時の内部を表す縦断面図である。
【図２】図１の平面説明図である。
【図３】図２の正面説明図である。
【図４】一方の筆記体を突出させた使用状態を表す説明図であり、図７のＡ−Ａ線に沿う縦断面図ある。
【図５】図４の使用状態にするための回動体の回動方向を説明する平面図である。
【図６】他方の筆記体を使用状態に突出させる場合における回動体の回動方向を説明する平面図である。
【図７】図４のＢ−Ｂ線に沿う横断端面図である。
【図８】図４のＣ−Ｃ線に沿う横断端面図である。
【図９】容器本体の一部の斜視図である。
【図１０】この発明の実施の形態２による回動体の取り付け部の横断端面図である。
【符号の説明】
【００３１】
１  容器本体
１Ａ  上蓋部
１Ｂ  下受け部
１Ｂ−１  取り付け部
１Ｂ−２  欠除部
２  回動体
２１ａ  大径穴部
２１ｂ  小径穴部
２２ａ  筒状凸部
２２ｂ  中心穴
３  支軸
３ａ  頭部
３ｂ  軸部
３ｃ  係合段部
４  保護体
５  収納空間
６  間隔保持部材
６ａ，６ｂ  上下板
６ｃ  間隔部材
７ａ，７ｂ  筆記体
８ａ，８ｂ  移動体
８１ａ，８１ｂ  凹部
８２ａ，８２ｂ  カム面
８３ａ，８３ｂ  係合凹部
９ａ，９ｂ  コイルスプリング（付勢手段）
１０  ピン
１５  穴
１５ａ  段差
１６  取り付け部
１７リング
３０  ネジ軸
Ｅ  回動軌跡
Ｈ１，Ｈ２  補助具
【図１】
2007276365.tif 000003
【図２】
2007276365.tif 000004
【図３】
2007276365.tif 000005
【図４】
2007276365.tif 000006
【図５】
2007276365.tif 000007
【図６】
2007276365.tif 000008
【図７】
2007276365.tif 000009
【図８】
2007276365.tif 000010
【図９】
2007276365.tif 000011
【図１０】
2007276365.tif 000012